(57)【要約】【課題】ユーザが検索エンジンを利用して行なった検索の履歴を保存するシステムにおいて、保存制限を設定することができるシステムの提供。【解決手段】本発明の検索履歴保存システム１５０は、ユーザ端末１１０による検索履歴（検索の検索条件と、その検索に対応するサイト履歴）を、自動的に、検索ワード・データベース１５１およびサイト履歴データベース１５２に保存する。その際、保存設定データベース１５３に記憶されている保存制限に従って、保存の可否を判断する。保存制限には、ユーザが禁止ワードや禁止ＵＲＬ等を自由に指定することができる。このため、簡単に、かつきめ細やかに、ユーザが保存を望まない情報を検索履歴として収集しないようにできる。また、ユーザ端末１１０に検索履歴のページを送信して、ユーザに検索履歴を閲覧させたり、削除や編集させたりする。【選択図】図１
2007286951.tif 000002
【特許請求の範囲】
【請求項１】
ユーザ端末が検索エンジンを利用した検索履歴を、サーバに記憶する検索履歴保存システムであって、
検索履歴の保存制限の条件を記憶している保存設定記憶手段と、
前記ユーザ端末から検索条件の検索ワードを受信すると、該検索ワードを、記憶されている前記保存制限の条件に従って、検索履歴として記憶手段に記憶する検索ワード保存手段と、
前記ユーザ端末から検索結果のサイトにアクセスしたことを受信すると、該サイトへのアクセス情報を、記憶されている前記保存制限の条件に従って、検索履歴として記憶手段に記憶するサイト履歴保存手段と、
ユーザ端末からの要求等に応じて、該ユーザ端末の検索履歴を表示したページを該ユーザ端末に送信する検索履歴送信手段と
を備えることを特徴とする検索履歴保存システム。
【請求項２】
請求項１に記載の検索履歴保存システムであって、
さらに、ユーザ端末に保存設定用のページを送信して前記保存制限の条件を設定させ、該設定を保存設定記憶手段に記憶する保存設定手段
を備えることを特徴とする検索履歴保存システム。
【請求項３】
請求項１又は２に記載の検索履歴保存システムであって、
前記保存設定記憶手段の保存制限の条件には禁止ワードを含み、
前記検索ワード保存手段およびサイト履歴保存手段は、該禁止ワードが含まれる検索条件およびサイト情報を記憶しないことを特徴とする検索履歴保存システム。
【請求項４】
請求項１〜３のいずれかに記載の検索履歴保存システムであって、
前記保存設定記憶手段の保存制限の条件には禁止ＵＲＬを含み、
前記検索ワード保存手段およびサイト履歴保存手段は、該禁止ＵＲＬが含まれる検索条件およびサイト情報を記憶しないことを特徴とする検索履歴保存システム。
【請求項５】
請求項１〜４のいずれかに記載の検索履歴保存システムであって、
前記検索履歴送信手段は、ユーザ端末が前記検索履歴の編集用ページを送信し、
ユーザ端末から受信した編集内容で前記記憶手段の検索履歴の該当項目を更新することを特徴とする検索履歴保存システム。
【請求項６】
請求項１〜５のいずれかに記載の検索履歴保存システムであって、
前記検索履歴送信手段は、さらに、前記ユーザ端末からの要求に応じて、他のユーザ端末の検索履歴の閲覧用ページを送信すること
を特徴とする検索履歴保存システム。
【請求項７】
請求項２〜６のいずれかに記載の検索履歴保存システムであって、
さらに、前記保存設定手段は、
前記ユーザのユーザ端末に保存設定申請用のページを送信して、保存制限の条件の設定を所望する他のユーザを指定させ、
前記保存設定申請を受信すると、該ユーザと、指定された他のユーザとの関係を判断して、一定の関係である場合に、該ユーザのユーザ端末に該他のユーザの前記保存設定用のページを送信すること
を特徴とする検索履歴保存システム。
【請求項８】
請求項７に記載の検索履歴保存システムであって、
さらに、前記保存設定手段は、
前記保存設定申請を受信すると、該他のユーザのユーザ端末に同意用のページを送信し、
前記他のユーザのユーザ端末から同意を受信すると、該ユーザのユーザ端末に該他のユーザの前記保存設定用のページを送信すること
を特徴とする検索履歴保存システム。
【請求項９】
ユーザ端末が検索エンジンを利用した検索履歴を、サーバに記憶する検索履歴保存方法であって、
検索履歴の保存制限の条件を記憶しており、
前記ユーザ端末から検索条件の検索ワードを受信すると、該検索ワードを、記憶されている前記保存制限の条件に従って、検索履歴として記憶手段に記憶する検索ワード保存ステップと、
前記ユーザ端末から検索結果のサイトにアクセスしたことを受信すると、該サイトへのアクセス情報を、記憶されている前記保存制限の条件に従って、検索履歴として記憶手段に記憶するサイト履歴保存ステップと、
ユーザ端末からの要求等に応じて、該ユーザ端末の検索履歴を表示したページを該ユーザ端末に送信する検索履歴送信ステップと
を備えることを特徴とする検索履歴保存方法。
【請求項１０】
請求項１〜８のいずれかに記載の検索履歴保存システムの各手段をコンピュータに機能させるためのプログラム。
【発明の詳細な説明】
【技術分野】
【０００１】
本発明は、ユーザが検索エンジンを利用した検索履歴をサーバに保存し、ユーザに利用させるシステムに関する。
【背景技術】
【０００２】
従来、一般のユーザがインターネット上の情報（例えば、ウェブサイトのウェブページや画像ファイル・動画ファイル等）のある場所（以降、単に「サイト」という）を探す際には、例えばＧｏｏｇｌｅ，Ｙａｈｏｏ，Ｇｏｏ，Ｉｎｆｏｓｅｅｋ等のホームページで提供されている検索エンジンを利用して、キーワード検索（検索ワードの入力による検索）を行なうことが多い。
通常、検索エンジンの検索用データベースには、インターネット上から収集したサイトの情報として、タイトル（名称）やＵＲＬ，概要（例えば、自動的に収集されたＨＴＭＬファイル内の文章の一部）等を記憶しており、ユーザがブラウザで閲覧する検索結果の一覧には、これらのタイトルやＵＲＬ（これらには該サイトへのリンクが張られている）、および概要等が表示される。ユーザはその一覧から所望のサイトへのリンクをクリックするだけで、簡単にそのサイトにアクセス（訪問）することができる。
【０００３】
このようにして訪問したサイトのうち、自分に必要なものや気に入ったものを収集・保存しておくには、通常、ブラウザに用意されているブックマーク（お気に入り）への登録機能を用いる。これは、簡単な操作でサイトへのショートカットファイルをパソコンにローカルに保存することができ、以降は、保存されたブックマーク（お気に入り）の一覧等からアクセスすることができる。
【０００４】
しかしながら、現在の検索エンジンにおいては、多くの場合、検索結果の件数は膨大である。したがって、訪問したサイトを（一時的にのみ必要なものも含め）全てブックマーク登録するのは手間がかかり、後の閲覧もしづらいため、現実的ではない。
一方、閲覧の履歴を残さなければ、以前訪問したサイトに再度訪問したい場合、再び検索エンジンにて検索しなければならず、さらに、検索用データベースは随時更新されているため、以前と同じようにそのサイトを見つけられるとは限らない。
【０００５】
この問題に対し、例えば、Ｇｏｏｇｌｅ（非特許文献１）の「パーソナライズド検索」では、登録済みのユーザがログインした状態で検索エンジンを利用すると、ユーザが入力した検索条件（検索ワード）および、検索結果一覧から訪問したサイトの情報を自動的に保存し、ユーザが自分の検索履歴をブラウザで閲覧できるサービスを提供している。
【０００６】
【非特許文献１】http://www.google.co.jp/
【発明の開示】
【発明が解決しようとする課題】
【０００７】
従来の検索履歴保存サービスにおいては、検索の履歴を全て自動的に保存する。このため、ユーザが収集を望まない情報（例えば成人向けの情報や、ユーザが望まない言葉を含む情報等）も、履歴として保存されてしまう。従って、不要な履歴は、後でユーザがブラウザ上で手動で削除しなければならない。
さらに、検索履歴をサーバに保存すれば、検索履歴を他のユーザと共有する（例えば、他のユーザに自分の検索履歴を公開したり、他のユーザの検索履歴を見たりする）サービスをユーザに提供することが可能である。この場合には、特に、不要な検索履歴が収集されないシステムとする必要性が高い。
【課題を解決するための手段】
【０００８】
上記の課題を解決するために、本発明は、ユーザ端末が検索エンジンを利用した検索履歴を、サーバに記憶する検索履歴保存システムであって、検索履歴の保存制限の条件を記憶している保存設定記憶手段と、前記ユーザ端末から検索条件の検索ワードを受信すると、該検索ワードを、記憶されている前記保存制限の条件に従って、検索履歴として記憶手段に記憶する検索ワード保存手段と、前記ユーザ端末から検索結果のサイトにアクセスしたことを受信すると、該サイトへのアクセス情報を、記憶されている前記保存制限の条件に従って、検索履歴として記憶手段に記憶するサイト履歴保存手段と、ユーザ端末からの要求等に応じて、該ユーザ端末の検索履歴を表示したページを該ユーザ端末に送信する検索履歴送信手段とを備えることを特徴とする検索履歴保存システムである。
さらに、ユーザ端末に保存設定用のページを送信して前記保存制限の条件を設定させ、該設定を保存設定記憶手段に記憶する保存設定手段を備えることを特徴としてもよい。
また、前記保存設定記憶手段の保存制限の条件には禁止ワードを含み、前記検索ワード保存手段およびサイト履歴保存手段は、該禁止ワードが含まれる検索条件およびサイト情報を記憶しないことを特徴としてもよい。
また、前記保存設定記憶手段の保存制限の条件には禁止ＵＲＬを含み、前記検索ワード保存手段およびサイト履歴保存手段は、該禁止ＵＲＬが含まれる検索条件およびサイト情報を記憶しないことを特徴としてもよい。
また、前記検索履歴送信手段は、ユーザ端末が前記検索履歴の編集用ページを送信し、ユーザ端末から受信した編集内容で前記記憶手段の検索履歴の該当項目を更新することを特徴としてもよい。
また、前記検索履歴送信手段は、さらに、前記ユーザ端末からの要求に応じて、他のユーザ端末の検索履歴の閲覧用ページを送信することを特徴としてもよい。
さらに、上述の前記保存設定手段は、前記ユーザのユーザ端末に保存設定申請用のページを送信して、保存制限の条件の設定を所望する他のユーザを指定させ、前記保存設定申請を受信すると、該ユーザと、指定された他のユーザとの関係を判断して、一定の関係である場合に、該ユーザのユーザ端末に該他のユーザの前記保存設定用のページを送信することを特徴としてもよい。
さらに、上述の前記保存設定手段は、前記保存設定申請を受信すると、該他のユーザのユーザ端末に同意用のページを送信し、前記他のユーザのユーザ端末から同意を受信すると、該ユーザのユーザ端末に該他のユーザの前記保存設定用のページを送信することを特徴としてもよい。
また、本発明は、ユーザ端末が検索エンジンを利用した検索履歴を、サーバに記憶する検索履歴保存方法であって、検索履歴の保存制限の条件を記憶しており、前記ユーザ端末から検索条件の検索ワードを受信すると、該検索ワードを、記憶されている前記保存制限の条件に従って、検索履歴として記憶手段に記憶する検索ワード保存ステップと、前記ユーザ端末から検索結果のサイトにアクセスしたことを受信すると、該サイトへのアクセス情報を、記憶されている前記保存制限の条件に従って、検索履歴として記憶手段に記憶するサイト履歴保存ステップと、ユーザ端末からの要求等に応じて、該ユーザ端末の検索履歴を表示したページを該ユーザ端末に送信する検索履歴送信ステップとを備えることを特徴とする検索履歴保存方法である。
上記のいずれかに記載の検索履歴保存システムの各手段をコンピュータに機能させるためのプログラムも、本発明である。
【発明の効果】
【０００９】
本発明の検索履歴保存システムによれば、自動的に検索履歴（本実施形態では、検索条件と、検索結果からアクセス（訪問）したサイトの履歴）を保存する。その際、ユーザが禁止ワードや禁止ＵＲＬ等を自由に指定して保存制限を課すことができるため、簡単に、かつきめ細やかに、不要な情報や保存を望まない情報を収集しないようにすることができる。なお、保存制限の内容は、必要性に応じてシステムで自由に決定できる。
また、ユーザが検索履歴に情報（例えば、コメントや評価等）を追加したり、ラベルによる分類・整理をしたり等、収集した検索履歴を有効に利用することができる。なお、検索履歴に追加する情報等の内容は、必要性に応じてシステムで自由に決定できる。
また、検索履歴はサーバに保存されているので、簡単に、検索履歴を他のユーザと共有可能なシステムとすることができる。上述の保存制限や編集が行なえることは、検索履歴を共有する場合には特に有用である。
【発明を実施するための最良の形態】
【００１０】
以降、図面を参照しながら、本発明の検索履歴保存システムの実施形態の一例を説明する。
（１）まず、本実施形態のシステムの概要を説明する（図１〜図３）。
（２）次に、ユーザが検索履歴を利用するためのウェブページについて説明する（図４）。
（３）次に、保存制限の設定について説明する（図１７〜図１９）。
（４）次に、検索履歴の保存について説明する（図５〜図７）。
（５）最後に、ユーザ端末への検索履歴一覧ページ等の送信と、ユーザによる検索履歴の編集について説明する（図８〜１６）。
【００１１】
（１．システム概要）
まず、図１〜図３のシステム構成図およびデータベース項目を参照しながら、本実施形態のシステムの概要を説明する。
図１は、本実施形態の検索履歴保存システムを用いたシステム構成の一例を示した図である。
【００１２】
（１−１．ユーザ端末）
図１において、ユーザ端末１１０は、ユーザが使用するパソコン等の端末であり、インターネット１２０を通じてサーバ１３０に接続する。
ブラウザ１１２は、ユーザ端末１１０にインストールされている従来の通常のブラウザ・ソフトウェアである。ユーザは、サーバ１３０から送信され、ユーザ端末のブラウザ１１２に表示される各ページにて、サーバ１３０の検索システム１４０（従来の検索エンジン）および本実施形態の検索履歴保存システム１５０を利用する。なお、ユーザ端末１１０に送信される各ページについては、後で詳しく説明する。
Ｃｏｏｋｉｅ１１４は、従来のＣｏｏｋｉｅであり、サーバ１３０がユーザ端末１１０を識別するための情報を含んでいる。Ｃｏｏｋｉｅ１１４は、例えば、ユーザ端末１１０が最初に検索エンジンのトップページ等にアクセスした際にサーバ１３０から送信され、ユーザ端末１１０に記憶される。以降、ユーザ端末１１０からサーバ１３０にアクセスする度に、ユーザ端末１１０からサーバ１３０にＣｏｏｋｉｅ１１４が自動的に送信される。これにより、ユーザがいわゆるユーザ登録とログインをしなくても、サーバ１３０はユーザ（ユーザ端末１１０）を識別できる。なお、上述のＣｏｏｋｉｅの代わりに、ユーザ登録を行ない、ユーザ端末１１０からのログインによりユーザを識別してもよい。
【００１３】
（１−２．検索システム）
サーバ１３０において、検索システム１４０は、従来の通常の検索エンジン（例えば、Ｇｏｏｇｌｅ，Ｙａｈｏｏ，Ｇｏｏ，Ｉｎｆｏｓｅｅｋ等のトップページで提供されている検索エンジン）をユーザに提供するシステムである。
検索用データベース１４２は、上述した従来の検索用データベースであり、インターネット上で収集したサイトの情報（名称（タイトル），ＵＲＬ，概要等）を記憶している。
さらに、本実施形態では、これらのサイトに種別（例えば、ウェブページ、画像ファイル、動画ファイル、ブログ（のトップページ）、ニュース記事（のウェブページ）等）を付けて記憶している。ユーザは全ての種別を対象として検索ワードを入力して検索できるほか、検索対象の種別を選択して検索ワードを入力して検索できる。なお、このような検索エンジンは従来技術である。
検索処理１４４は、ユーザがユーザ端末１１０のブラウザ１１２に表示された検索用のページで検索条件を入力して検索を行なうと、検索用データベース１４２を検索し、検索結果のサイトの名称、ＵＲＬ，概要等を一覧表示したページを、ユーザ端末１１０に送信する処理を行なうプログラムである。
【００１４】
（１−３．検索履歴保存システム）
検索履歴保存システム１５０は、本実施形態の検索履歴保存システムであり、ユーザが検索エンジンで行なった検索の履歴を保存するシステムである。本実施形態では、検索条件と、検索結果からアクセス（訪問）したサイトの履歴を、検索履歴として保存する。検索履歴の保存の際には、ユーザが設定した保存制限の条件に従って、検索履歴の保存の可否を判断する。
また、ユーザに検索履歴を閲覧させ、ユーザが検索履歴を削除・編集できるようにする。
【００１５】
検索履歴保存システム１５０において、検索ワード・データベース１５１は、ユーザが入力した検索条件の検索ワード等を記憶するデータベースである。検索ワード・データベース１５１への記憶は、検索ワード保存処理１６１で行なう。検索ワード保存処理１６１の処理手順については後で詳しく説明する。
図２（ａ）は、検索ワード・データベース１５１の主要な項目の例を示した図である。「ユーザＩＤ」は、ユーザを一意に識別するＩＤである。上述したように、本実施形態ではＣｏｏｋｉｅ１１４に格納した情報を用いる。「検索Ｎｏ．」は、該ユーザの検索に一意に付される番号である。「検索ワード」は、入力された検索ワードである。「検索種別」は、選択された種別（例えば上述のウェブページ・画像・動画・ブログ・ニュース等）である。
また、ユーザは、検索履歴から同じ検索条件で繰り返し再検索を行なうことができる。「検索回数」は、ユーザが該検索を行なった回数である。「最終検索日時」は、ユーザが該検索を最後に行なった日時である。
【００１６】
サイト履歴データベース１５２は、ユーザが検索結果の一覧ページから訪問したサイトの情報を記憶するデータベースである。サイト履歴データベース１５２への登録は、サイト履歴保存処理１６２で行なう。サイト履歴保存処理１６２の処理手順については後で詳しく説明する。
図２（ｂ）は、サイト履歴データベース１５２の主要な項目の例を示した図である。「ユーザＩＤ」は、上述のユーザＩＤ（本実施形態では、Ｃｏｏｋｉｅ１１４に格納した情報）である。「検索Ｎｏ．」は、該サイトがどの検索結果から閲覧されたかを示す情報であり、検索ワード・データベース１５１の検索Ｎｏ．に対応している。
「サイトＵＲＬ」「サイト名称」「サイト概要」は、それぞれ、検索用データベース１４２に記憶されているサイトの名称（タイトル）、ＵＲＬ，概要である。
また、ユーザは、検索履歴から同じサイトを繰り返し訪問することができる。「アクセス回数」は、ユーザが該サイトを訪問した回数である。「最終訪問日時」は、ユーザが該サイトを最後に訪問した日時である。
【００１７】
また、「コメント」「評価項目ＩＤ」「評価」「ラベルＩＤ」は、該サイトがサイト履歴データベース１５２に記憶されたサイト履歴に対して、ユーザが後で情報を追加できる項目である。
コメントは、該サイトに対するユーザのコメントである。
ラベルは、該サイトを分類するラベルであり、例えば「ニュース」「おすすめ」等である。
本実施形態では、ユーザが自由にラベルを作成・編集できるものとする。作成・編集されたラベルは、ラベル登録・更新処理１６５により、ラベル・データベース１５４に登録される。ラベルの作成・編集については、後で詳しく説明する。
ラベル・データベース１５４の主要な項目の例を、図３（ａ）に示す。「ユーザＩＤ」は、上述のユーザＩＤ（Ｃｏｏｋｉｅ１１４に格納した情報）である。「ラベルＩＤ」は、ラベルに一意に付されるＩＤである。「ラベル名称」は、例えば「ニュース」「おすすめ」などのラベル名称である。
【００１８】
評価は、該サイトへのユーザの評価であり、評価項目（例えば「面白さ」「安さ」等）と、それらの評価項目における評価（例えば、５段階評価）とからなる。
本実施形態では、ユーザが自由に評価項目を作成・編集できるものとする。作成・編集された評価項目は、評価項目登録・更新処理１６６により、評価項目データベース１５５に登録される。評価項目の作成・編集については、後で詳しく説明する。
評価項目データベース１５５の主要な項目の例を、図３（ｂ）に示す。「ユーザＩＤ」は、上述のユーザＩＤ（Ｃｏｏｋｉｅ１１４に格納した情報）である。「評価項目ＩＤ」は、評価項目に一意に付されるＩＤである。「評価項目名称」は、例えば「面白さ」「安さ」などの評価項目名称である。
なお、上述のコメント、ラベル、および評価を付ける機能は本実施形態に必須の機能ではないが、コメントおよび評価は、検索履歴を他のユーザに公開する場合に特に有用である。また、ラベルは多数の検索履歴を見やすく整理するのに有用である。
【００１９】
図１に戻り、検索履歴送信処理１６３は、ユーザからの要求等に応じて、該ユーザの検索履歴を一覧表示したウェブページを作成して、ユーザ端末１１０に送信する処理である。ユーザはブラウザ１１２で検索履歴を閲覧し、検索履歴の削除や編集を行なうことができる。ユーザが検索履歴の削除や編集を行なうと、その内容で検索履歴（検索ワード・データベース１５１およびサイト履歴データベース１５２）を更新する。なお、ユーザ端末１１０に送信される各ページについては、後で詳しく説明する。
【００２０】
保存設定データベース１５３は、ユーザ（ユーザ端末１１０）ごとに、保存制限等の設定を記憶しているデータベースである。本実施形態では、ユーザが保存制限等の内容を設定できる。保存設定処理１６４は、ユーザによる設定を保存設定データベース１５３に登録・更新する処理である。
図２（ｃ）は、保存設定データベース１５３の主要な項目の例を示した図である。「ユーザＩＤ」は、上述のユーザＩＤ（Ｃｏｏｋｉｅ１１４に格納した情報）である。「保存可否フラグ」は、検索履歴を保存するかどうかを示すフラグである。「保存一時停止フラグ」は、保存が一時停止されているかどうかを示すフラグである。
「保存制限情報（禁止ワード）」は、ユーザが禁止ワード（このワードを含む情報は検索履歴として保存しない）として指定したキーワードである。本実施形態では複数の禁止ワードを指定できるものとする。
「保存制限情報（禁止ＵＲＬ）」は、ユーザが禁止ＵＲＬ（このＵＲＬを含む情報は検索履歴として保存しない）として指定したＵＲＬ（またはＵＲＬの一部）である。本実施形態では複数の禁止ＵＲＬを指定できるものとする。
「保存制限情報（アダルトジャンル保存可否フラグ）」は、検索エンジンの提供者がアダルトジャンルと判断している情報（例えば、検索エンジン提供側が指定する成人向けのキーワードやＵＲＬ等を含む情報）を、検索履歴として保存するかを示すフラグである。
【００２１】
「履歴取込フラグ」は、検索エンジンの提供者がユーザを登録している場合に、登録済みのユーザがログオフ状態で行なった検索の履歴を、その後ログオンした際に引き継ぐかどうかを示すフラグである。
「１ページあたり表示件数」は、ユーザ端末１１０のブラウザ１１２に表示される検索履歴の一覧等において、１ページあたり何件の履歴を表示するかを示す項目である。
【００２２】
なお、サーバ１３０は１つのサーバでなくてもよく、例えば、検索システム１４０と検索履歴保存システム１５０を別サーバに分けてもよい。また、各システム内のデータベースや処理のプログラム等も、別サーバに分けて格納してよい。
【００２３】
（２．ユーザ専用ページの構成）
次に、図４を参照しながら、ユーザが検索を行ない、検索履歴を利用（検索履歴の閲覧・削除・編集や、保存制限の設定）するためのユーザ専用のウェブページ（以降、ユーザ専用ページという）について説明する。上述したように、検索履歴の各ページの作成とユーザ端末１１０への送信は、検索履歴送信処理１６３が行なう。
図４は、本実施形態のユーザ専用ページの例である。なお、上述したように、ユーザ端末１１０からのアクセス時にブラウザ１１２から送信されるＣｏｏｋｉｅ１１４により、サーバ１３０はユーザ端末を識別する。したがって、ユーザ専用ページに該ユーザの検索履歴等を各データベースから読み出して表示することができる。
【００２４】
ユーザ専用ページ４００において、検索ボックス４１０は、ユーザが検索を行なうエリアである。
検索ボックス４１０上部に並んでいるタブの一番右にある「検索履歴」タブ４１３をクリックすると、そのユーザの検索履歴（検索条件と、その検索に対応するサイト履歴）の全件を一覧表示したサイト履歴一覧ページに遷移（本実施形態ではメイン表示エリア４８０に表示。以降同じ。）する。サイト履歴一覧ページについては、後で図８のサイト履歴一覧ページの例を参照しながら説明する。
ここで、ユーザが検索用テキストボックス４１１に検索のキーワードを入力して「検索」ボタン４１２をクリックすると、検索ワード・データベース１５１およびサイト履歴データベース１５２が検索され、検索結果を一覧表示したサイト一覧ページに遷移する。
なお、図４の例では、「検索履歴」タブ４１３を設けるようにしているが、「検索履歴」タブ４１３の代わりに、各タブをクリックして表示されるページ（例えば、「画像」タブをクリックして表示されるページ）に、ユーザの検索履歴のページに遷移するためのリンクを貼り付けるようにしてもよい。すなわち、「検索履歴」タブ４１３の表示に限定されず、各サイトに検索履歴のページへの遷移を促すためのテキスト（ＵＲＬが貼り付けられているテキスト）を表示させるようにしてもよい。
【００２５】
また、検索ボックス４１０上部のその他のタブ（図４の例では、Ｇｏｏｇｌｅ検索，Ｉｎｆｏｓｅｅｋ検索，ディレクトリ，ブログ，画像，動画，ソフトウェア，ニュース）は、検索用データベース１４２の種別に対応している。ユーザが所望のタブをクリックし、検索用テキストボックス４１１のキーワードを入力して検索を行なうと、選択された種別と入力されたキーワード（検索ワード）を検索条件として、検索処理１４４が検索用データベース１４２を検索し、検索結果はを一覧表示したページに遷移する。検索結果ページの例は、後で図５の検索結果ページの例を参照しながら説明する。
【００２６】
検索履歴設定エリア４２０は、ユーザが保存制限の設定を行なうページ等へのリンクを表示しているエリアである。
「自動保存の一時停止」リンク４２１は、検索履歴の保存を一時的に停止するリンクである。具体的には、ユーザが「自動保存の一時停止」リンク４２１をクリックすると、保存設定データベース１５３の保存一時停止フラグをオン（保存不可）にして、以降の検索履歴を保存しない。
自動保存を一時停止すると、「自動保存の一時停止」リンク４２１の表示は「自動保存の再開」に変わる。ユーザが「自動保存の再開」リンクをクリックすれば、保存設定データベース１５３の保存一時停止フラグがオフ（保存可）になり、以降の検索履歴を保存する。
「検索履歴の設定」リンク４２２は、ユーザが保存制限等の設定を行なうページに遷移するリンクである。検索履歴の設定については、後で図１７〜図１９の検索履歴設定ページを参照しながら詳しく説明する。
【００２７】
左ナビゲーション４３０は、そのユーザの最近の検索履歴を、一覧表示のページへのリンク等とともに表示している部分である。左ナビゲーション４３０は、カレンダー表示エリア４４０，最近検索ワード表示エリア４５０，サイト一覧表示エリア４６０，ブックマーク登録ボックス４７０で構成する。
カレンダー表示エリア４４０には、検索履歴をカレンダー形式で表示する。カレンダーの日付は、検索ワード・データベース１５１の最終検索日時に対応させる。また、その日のサイト履歴の件数を色分けして表示することにより、ユーザが見やすくしている。
ユーザが日付のリンクをクリックすると、その日の検索履歴（検索条件と、その検索に対応するサイト履歴）を一覧表示したサイト履歴一覧ページに遷移する。
【００２８】
最近検索ワード表示エリア４５０には、ユーザの検索を新しい順に表示（ここでは例として４件表示）している。ここで、「Ｃｏｏｋｉｅ−５回（８）」の表示は、左から、検索ワード、検索回数（同検索ワードによる全種別での検索回数の合計）、該検索から訪問したサイト履歴数（同検索ワードによる全種別でのサイト履歴数の合計）を示している。
検索ワードをクリックすると、対応するサイト履歴を一覧表示したサイト履歴一覧ページに遷移する。
「もっと見る」リンク４５１をクリックすると、検索を一覧表示した検索ワード一覧ページに遷移する。検索ワード一覧ページについては、後で図１０を参照しながら詳しく説明する。
【００２９】
サイト一覧表示エリア４６０には、ユーザのサイト履歴を、よく使われているラベルの順（ラベル順一覧４６１），および、よく使われている評価項目の順（評価項目順一覧４６３）に表示している。
「サイト一覧」のリンクをクリックすると、ユーザの検索履歴（検索条件と、その検索に対応するサイト履歴）の全件を一覧表示したサイト履歴一覧ページに遷移する。
ラベル一覧表示部４６１に表示されている各ラベル名をクリックすると、該当のラベルを付したサイト履歴を一覧表示したサイト履歴一覧ページに遷移する。また、「もっと見る」リンク４６２をクリックすると、ラベル一覧を表示したラベル編集ページに遷移する。ラベル編集ページについては、後で図１３を参照しながら詳しく説明する。
評価項目一覧表示部４６３に表示されている各評価項目名をクリックすると、該当の評価を付したサイト履歴を一覧表示したサイト履歴一覧ページに遷移する。また、「もっと見る」４６４をクリックすると、評価項目一覧を表示した評価項目編集ページに遷移する。評価項目編集ページについては、後で図１４を参照しながら詳しく説明する。
【００３０】
ブックマーク登録ボックス４７０は、ユーザが自分でサイトを登録できる入力ボックスである。ＵＲＬ入力用テキストボックス４７１に所望のＵＲＬを入力して「登録」ボタン４７２をクリックすると、そのＵＲＬをサイト履歴データベース１５２に登録する。このとき、システムであらかじめ用意されているラベル「ブックマーク」が付される。
ここで登録したサイトの編集（サイト名称やコメント・評価の追加等）は、通常のサイト履歴と同様、サイト履歴編集ページで行なう。サイト履歴編集ページについては、後で図１２のサイト履歴編集ページの例を参照しながら詳しく説明する。
【００３１】
（３．保存制限の設定）
次に、図１７〜図１９の各ページを参照しながら、ユーザによる保存制限の設定について説明する。
上述したように、図４において「検索履歴の設定」リンク４２２をクリックすると、ユーザが保存制限の設定を行なう検索履歴設定ページに遷移する。
検索履歴設定ページの例を、図１７に示す。ユーザは「検索履歴の設定」１７１０の各欄で、検索履歴の保存方法や表示件数等の設定を行ない、設定内容は保存設定データベース１５３に記憶される。
【００３２】
詳細設定欄１７１１において、「検索履歴を保存する」は、検索履歴を検索ワード・データベース１５１およびサイト履歴データベース１５２に保存するかを設定するチェックボックスである。チェックを入れて「設定を保存」ボタン１７１４をクリックすると、保存設定データベース１５３の保存可否フラグを「保存可」に更新し、以降の検索履歴を保存する。また、チェックを外して「設定を保存」ボタン１７１４をクリックすると、保存可否フラグを「保存不可」に更新し、以降の検索履歴を保存しない。
また、「ログイン時に、直前の検索履歴を取り込む」は、本実施形態の検索履歴保存システムの提供者が、ユーザ登録も行なっている場合に、登録しているユーザの未ログイン時に保存された検索履歴を、ログイン後に引き継ぐかを設定するチェックボックスである。設定は保存設定データベース１５３の履歴取込フラグに記憶される。
【００３３】
１ページあたり表示件数設定欄１７１２は、検索履歴の一覧ページ（検索ワード一覧ページやサイト履歴一覧ページ）等において、１ページに表示する検索履歴等の件数を設定する欄である。設定は保存設定データベース１５３の１ページあたり表示件数に記憶される。
【００３４】
フィルタリング設定欄１７１３は、保存制限を詳細に設定する欄である。「指定した言葉を含む検索ワード、閲覧サイトを保存しない」のチェックボックスをチェックすると、以降は、登録した言葉を含む検索履歴を保存しない。
本実施形態では、例として、禁止する言葉（禁止ワード）と禁止するＵＲＬ（禁止ＵＲＬ）を登録できるものとする。「禁止ワード・ＵＲＬの設定」リンクをクリックすると、図１８に示す禁止ワード設定ページ、および図１９に示す禁止ＵＲＬ設定ページに遷移する。
禁止ワードの登録は、図１８の禁止ワード設定ページにおいて、禁止ワード入力欄１８１０のテキストボックスに禁止ワードを入力して「登録」ボタンをクリックする。登録された禁止ワードは、保存設定データベース１５３の保存制限情報（禁止ワード）に記憶される。禁止ワード一覧１８３０には、既に登録されている禁止ワードが表示される。禁止ワードの削除は、禁止ワード一覧１８３０の左側のチェックボックスをチェックして、禁止ワード削除欄１８２０の「削除」ボタンをクリックして行なう。ここで、「すべてをチェック」をクリックすると、全ての禁止ワードがチェックされる。
また、禁止ＵＲＬの登録は、図１９の禁止ＵＲＬ設定ページにおいて、禁止ＵＲＬ入力欄１９１０のテキストボックスに禁止ＵＲＬを入力して「登録」ボタンをクリックする。登録された禁止ＵＲＬは、保存設定データベース１５３の保存制限情報（禁止ＵＲＬ）に記憶される。禁止ＵＲＬ一覧１９３０には、既に登録されている禁止ＵＲＬが表示される。禁止ＵＲＬの削除は、禁止ＵＲＬ一覧１９３０の左側のチェックボックスをチェックして、禁止ＵＲＬ削除欄１９２０の「削除」ボタンをクリックして行なう。ここで、「すべてをチェック」をクリックすると、全ての禁止ＵＲＬがチェックされる。
【００３５】
図１７の検索履歴設定ページ１７００に戻り、ブックマーク取込エリア１７２０は、ブラウザ１１２の機能でブックマーク登録したサイトを、ユーザが簡単な操作で、本実施形態のサイト履歴に追加できるエリアである。
ブックマークの取り込みは、パス入力欄１７２１にブックマークファイルへのパスを入力して「取り込み」ボタン１７２３をクリックすると、そのブックマークの情報（ＵＲＬやサイト名称等）が、サイト履歴データベース１５２に登録される。本実施形態では、あらかじめシステムで用意されているラベル「ブックマーク」が付される。「参照」ボタン１７２２をクリックすると、ファイル選択のダイアログボックスが表示され、簡単にブックマークファイルへのパスを指定することができる。
【００３６】
（４．検索履歴の保存）
次に、図５の検索結果ページおよび図６〜図７のフローチャートを参照しながら、検索履歴の保存について説明する。なお、検索履歴は、上述の（３．保存制限の設定）でユーザが設定した保存制限に従って保存される。
【００３７】
（４−１．検索条件の保存）
上述したように、ユーザが図４のユーザ専用ページ４００で検索システム１４０を利用した検索を行なうと、検索処理１４４が検索用データベース１４２を検索して、検索結果一覧ページ（図５）をユーザ端末１１０に送信するが、このとき、検索ワード保存処理１６１が、検索条件として入力されたキーワード（検索ワード）等を、検索ワード・データベース１５１に保存する。
【００３８】
図５は、ユーザが検索ボックス４１０上部のタブで種別「Ｇｏｏｇｌｅ検索」を選択して、検索用テキストボックス４１１にキーワード（検索ワード）「ハットリくん」を入力して検索を行なった際の検索結果一覧ページの例である。なお、本実施形態では、検索結果一覧ページは上述の図４のユーザ専用ページ４００のメイン表示エリア４８０に表示される。
検索結果一覧ページ５００において、検索結果一覧には、検索結果５１０ごとに、検索用データベース１４２に記憶されているサイトのサイト名称５１１，サイト概要５１２，サイトＵＲＬ５１３等の情報が表示される。
また、検索結果ページには、関連カテゴリ５２０等を表示してもよい。検索結果ページの別のページへ遷移したい場合には、ページ移動用リンク５３０に表示されたページ数等をクリックする。なお、これらは従来の検索エンジンの機能である。
【００３９】
図６は、検索ワード保存処理１６１の流れの一例を示したフローチャートである。
ユーザが検索エンジンでの検索を行ない、ユーザ端末１１０から入力された検索条件を受信する（Ｓ６１０）と、まず、そのユーザが検索履歴保存可のユーザであるかを判断する（Ｓ６２０）。具体的には、該ユーザのユーザＩＤ（Ｃｏｏｋｉｅ）に対応する保存設定データベース１５３の保存可否フラグおよび保存一時停止フラグを参照する。
保存可否フラグおよび保存一時停止フラグのいずれか、または双方が「保存不可」の場合（Ｓ６２０でＮｏの場合）には、何もしないで（その検索を検索ワード・データベース１５１に登録しないで）処理を終了する。
一方、保存可否フラグと保存一時停止フラグの双方が「保存可」である場合（Ｓ６２０でＹｅｓの場合）には、その検索条件（検索ワード）が保存制限の対象であるかを判断する（Ｓ６３０）。なお、本実施形態における検索条件は、検索ワード＋種別であるため、検索ワードについて保存制限の対象であるかを判断する。すなわち、該ユーザのユーザＩＤ（Ｃｏｏｋｉｅ）に対応する保存設定データベース１５３を参照して、その検索ワードが保存制限情報（禁止ワード）に該当するかを判断する。
さらに、保存設定データベース１５３の保存制限情報（アダルトジャンル保存可否フラグ）が保存不可である場合には、その検索ワードが、あらかじめ検索エンジン提供者側が定めているアダルトジャンルに該当するかを判断する。
【００４０】
その検索ワードが保存制限の対象であると判断した場合（Ｓ６３０でＹｅｓの場合）には、何もしないで（その検索を検索ワード・データベース１５１に登録しないで）処理を終了する。
一方、その検索ワードが保存制限の対象ではない場合（Ｓ６３０でＮｏの場合）には、検索条件を検索ワード・データベース１５１に登録して、処理を終了する（Ｓ６４０）。本実施形態においては、具体的には、検索ワード・データベース１５１の各項目、すなわちユーザＩＤ，検索Ｎｏ，検索ワード，検索種別，検索回数，最終検索日時を記憶する。
上述の図５に示した例では、検索ワードには「ハットリくん」、検索種別には「Ｗｅｂ検索」を記憶する。また、検索回数には「１」を、最終検索日時には今回の検索日時を記憶する。なお、例えば「ハットリくん」が保存制限対象であれば検索ワード・データベース１５１に記憶されない。
【００４１】
（４−２．サイト履歴の保存）
ユーザが検索結果の一覧からサイトを訪問する（上述の図５の検索結果の一覧において、ユーザが見たいサイトの名称５１１またはＵＲＬ５１３をクリックする）と、該サイトにジャンプするとともに、サイト履歴保存処理１６２が、該サイトの情報をサイト履歴データベース１５２に保存する。
【００４２】
図７は、サイト履歴保存処理１６２の流れの一例を示したフローチャートである。
検索結果の一覧ページ（上述の図５）から、サイトへのリンクをクリックしたことを受信する（Ｓ７１０）と、まず、そのユーザが検索履歴保存可のユーザであるかを判断する（Ｓ７２０）。本実施形態においては、具体的には、上述で図６を用いて説明した検索ワード保存処理１６１と同様に、該ユーザのユーザＩＤに対応する保存設定データベース１５３の保存可否フラグおよび保存一時停止フラグを参照し、保存不可であれば（Ｓ７２０でＮｏ）、何もしないで（そのサイトをサイト履歴データベース１５２に登録しないで）処理を終了する。
一方、保存可であれば（Ｓ７２０でＹｅｓ）、そのサイトが保存制限の対象であるかを判断する（Ｓ７３０）。本実施形態においては、具体的には、該ユーザのユーザＩＤに対応する保存設定データベース１５３を参照して、そのサイトの情報（検索用データベース１４２に登録されているサイト名称、ＵＲＬ、サイト概要等の情報）に、保存制限情報（禁止ワード）および保存制限情報（禁止ＵＲＬ）が含まれているかを判断する。
【００４３】
さらに、上述で図６を用いて説明した検索ワード保存処理１６１と同様に、保存制限情報（アダルトジャンル保存可否フラグ）が保存不可の場合には、そのサイトが、あらかじめ検索エンジン提供者側が定めているアダルトジャンルに該当するかを判断する。
そのサイトが保存制限の対象であると判断した場合（Ｓ７３０でＹｅｓの場合）には、何もしないで（そのサイトをサイト履歴データベース１５２に登録しないで）処理を終了する。
一方、そのサイトが保存制限の対象ではない場合（Ｓ７３０でＮｏの場合）には、そのサイトをサイト履歴データベース１５２に登録して、処理を終了する（Ｓ７４０）。本実施形態においては、具体的には、上述で図２（ｂ）を用いて説明したサイト履歴データベース１５２の、ユーザＩＤ，検索Ｎｏ（検索ワード・データベース１５１の検索Ｎｏ．に対応），サイトＵＲＬ，サイト名称，サイト概要，アクセス回数（初期値として１を入力），最終訪問日時（今回訪問した日時）を記憶する。
【００４４】
（５．検索履歴の送信とユーザによる編集）
最後に、図８〜図１６に示す各ページを参照しながら、ユーザ端末への検索履歴一覧ページ等の送信と、ユーザによる検索履歴の編集について説明する。各ページのユーザ端末１１０への送信、およびユーザによる編集をデータベースに保存する処理は、検索履歴送信処理１６３が行なう。
【００４５】
（５−１．サイト履歴一覧の送信）
上述したように、図４のユーザ専用ページ４００において、ユーザが、検索ボックス４１０での検索履歴の検索や、カレンダー表示部４３０の日付のクリック、「サイト一覧」のリンク４６０のクリック，ラベル順一覧４６１における「もっと見る」リンク４６２のクリック，評価項目順一覧４６３における「もっと見る」リンク４６４のクリック等を行なうと、対象となる検索履歴を一覧表示したサイト履歴ページに遷移する。
【００４６】
図８は、サイト履歴一覧ページの例である。図８は、表示対象の検索履歴を、検索条件ごとに一覧表示した場合の例である。なお、表示項目や表示順等は一例である。
サイト履歴一覧ページ８００において、サイト一覧表示エリア８２０には、検索ワード・データベース１５１の最終検索日付が新しい順に、表示対象の検索履歴（検索条件と、その検索に対応するサイト履歴）を表示している。
日付表示欄８２１および検索ワード表示欄８２２には、それぞれ、検索ワード・データベース１５１の最終検索日付および検索ワードを表示する。検索ワードをクリックすると、その検索に対応する（検索Ｎｏ．が同じ）サイト履歴を全て（表示対象ではなかったサイト履歴も含めて）表示したサイト履歴一覧ページに遷移する。
保存種別表示欄８２３には、検索ワード・データベース１５１の検索種別（図８の例では「Ｗｅｂ検索」）を表示する。検索回数表示欄８２４には、検索ワード・データベース１５１の検索回数を表示する。
「再検索」リンク８２５をクリックすると、検索処理１４４が、同じ検索条件で再度検索用データベース１４２を検索して、検索結果のページ（図５）に遷移する。それとともに、検索履歴送信処理１６３が、検索ワード・データベース１５１の最終検索日時を更新し、検索回数を１増やす。
【００４７】
サイト履歴表示欄８３０には、表示対象のサイト履歴を、例えばサイト名称の昇順に表示する。
サイト名称表示欄８３１，サイト概要表示欄８３２，サイトＵＲＬ表示欄８３３には、それぞれ、サイト履歴データベース１５２のサイト名称，サイト概要，サイトＵＲＬを表示する。最終訪問日等表示欄８３４には、サイト履歴データベース１５２の最終訪問日時とアクセス回数を表示する。
ここで、サイト名称またはサイトＵＲＬをクリックすると、そのサイトに遷移するとともに、サイト履歴データベース１５２の最終訪問日時を更新し、アクセス回数を１増やす。また、サイト名称８３１の右側の「編集」をクリックすると、そのサイト履歴の編集を行なうページ（図１２のサイト編集ページ）に遷移する。サイト履歴の編集については、後で詳しく説明する。
【００４８】
ラベル表示欄８３５には、サイト履歴データベース１５２のラベルＩＤに対応するラベル名称を、ラベル・データベース１５４から読み出して表示する。ラベル名称をクリックすると、そのラベルを付けているサイト履歴を一覧表示したサイト履歴一覧ページに遷移する。
評価表示欄８３６には、サイト履歴データベース１５２の評価項目ＩＤに対応する評価項目名称を、評価項目データベース１５５から読み出して表示し、サイト履歴データベース１５２の評価を例えば星の数で表示する。評価項目名称をクリックすると、その評価項目で評価を付けているサイト履歴を一覧表示したサイト履歴一覧ページに遷移する。
コメント表示欄８３７には、サイト履歴データベース１５２のコメントを表示する。コメントの表示は、例えばあらかじめ定めた文字数までの表示とし、「もっと見る」リンク８３８をクリックすると全文を表示する。
【００４９】
また、ナビゲーションバー８１０において、「すべてをチェック」チェックボックス８１１をクリックすると、現在のページに表示されている全てのサイト履歴のチェックボックスをチェックする。「削除」ボタン８１２は、チェックしたサイト履歴をサイト履歴データベース１５２から削除するボタンである。
サイト件数表示欄８１４は、表示対象となっているサイト履歴の件数と、現在何件目を表示しているかを示している。また「次の１０件」リンク８１４は、サイト一覧の次のページに遷移するリンクである。２ページ目以降は、「前の１０件」のリンクも表示するとよい。なお、１ページに表示する件数は、保存設定データベース１５３の１ページあたり表示件数に従う。
表示対象選択リンク８１５は、表示するサイト履歴の種別を選択するリンクであり、「すべて」および各々の種別から選択できる。表示件数選択リンク８１６は、１ページに表示するサイト履歴の件数を一時的に変更するリンクである。
【００５０】
「一覧を印刷用に表示」ボタン８１３は、チェックボックスで選択されたサイト履歴を印刷用に一覧表示したページに遷移するボタンである。なお、ページの遷移ではなく、例えば別ウィンドウを起動して表示してもよい。
サイト履歴印刷用ページの例を、図９に示す。サイト履歴印刷用ページ９００において、ページタイトル表示欄９０１には、印刷用ページのタイトル（図９の例では「サイト一覧」）を表示する。また、日付表示欄９０２，検索ワード表示欄９０３等、必要な情報を見やすく表示するとよい。サイト履歴表示欄９１０には、例えば、サイト履歴１件ごとに、サイト名称表示欄９１１にはサイト名称，サイトＵＲＬ表示欄９１２にはサイトＵＲＬ，サイト概要表示欄９１３にはサイト概要，最終訪問日等表示欄９１４には最終訪問日時およびアクセス回数，ラベル表示欄９１５にはラベル名称，評価表示欄９１６には評価項目と評価，コメント表示欄９１７にはコメントを、表形式等で見やすく表示するとよい。
【００５１】
（５−２．検索条件一覧の送信）
また、上述の図４において、ユーザが最近検索ワード４５０の「もっと見る」４５１をクリックすると、図１０の検索ワード一覧ページに遷移する。
図１０の検索ワード一覧ページ１０００において、ナビゲーションバー１０１０は、図８で説明したサイト履歴一覧ページのナビゲーションバー８１０と同様であり、選択した検索条件の削除や、表示対象の選択、表示件数の設定、選択した検索条件の印刷用ページの表示を行なうエリアである。
図１１は、検索ワード印刷用ページの例である。ページタイトル表示欄１１０１には、印刷用ページのタイトル（図１１の例では「検索した言葉一覧」）を表示する。また、検索ワード一覧表示欄１１１０には、例えば、検索ワード表示欄１１１１には検索ワードを，サイト履歴件数表示欄１１１２にはその検索に対応する（検索Ｎｏ．が同じ）サイト履歴の件数を，検索種別表示欄１１１３には検索種別を，検索日時表示欄１１１４には最終検索日時を、表形式等で見やすく表示する。
【００５２】
図１０の検索ワード一覧ページ１０００に戻り、検索条件一覧エリア１０２０は、検索条件を一覧表示するエリアである。検索条件表示欄１０３０の日付表示欄１０３１および検索ワード表示欄１０３２には、それぞれ検索ワード・データベース１５１の最終検索日付および検索ワードを表示する。検索ワードをクリックすると、その検索に対応するサイト履歴を一覧表示したサイト履歴一覧ページに遷移する。
検索回数表示欄１０３３には、検索ワード・データベース１５１の検索回数を表示する。サイト履歴件数表示欄１０３４には、その検索に対応するサイト履歴の件数を表示する。検索種別表示欄１０３５，検索日時表示欄１０３６には、それぞれ、検索ワード・データベース１５１の検索種別，最終検索日時を表示する。
【００５３】
（５−３．サイト履歴の編集）
また、上述の図８のサイト履歴一覧ページにおいて、ユーザがサイト名称表示欄８３１の右側の「編集」をクリックすると、図１２のサイト履歴編集ページに遷移する。
サイト履歴編集ページ１２００において、「この履歴を削除」ボタン１２１０をクリックすると、サイト履歴データベース１５２からこのサイト履歴を削除する。
基本情報編集入力エリア１２２０は、サイト履歴の基本的な情報（サイト名称、サイトＵＲＬ、サイト概要）を編集するエリアである。
サイト名称編集入力欄１２２１には、サイト履歴データベース１５２のサイト名称が表示されており、ユーザが編集できる。サイトＵＲＬ編集入力欄１２２２には、サイト履歴データベース１５２のサイトＵＲＬが表示されており、ユーザが編集できる。なお、タイトルおよびＵＲＬはサイト履歴の必須項目であり、未入力とすることはできない。
サイト概要編集入力欄のテキストボックスには、サイト履歴データベース１５２のサイト概要が表示されており、ユーザが編集できる。
これらの基本情報を編集して「保存」ボタン１２７０をクリックすると、入力された内容でサイト履歴データベース１５２を更新する。
【００５４】
任意情報編集入力エリア１２３０は、サイト履歴の任意情報（本実施形態では、ラベル・評価・コメント）を追加、編集するエリアである。
ラベルの設定は、ラベル編集入力エリア１２４０で行なう。ラベル入力欄１２４１には、ラベル・データベース１５４に登録されているラベルがリストボックスに表示されるので、付けたいラベルを選択する。ラベルを付けると、サイト履歴データベース１５２にラベルＩＤを追加する。
また、新しい（まだラベル・データベース１５４に登録していない）ラベルを付けたいときは、新規ラベル登録欄１２４２のテキストボックスに新しいラベル名称を入力して、「追加」ボタンをクリックすると、ラベル・データベース１５４にラベルを登録するとともに、そのラベルのラベルＩＤをサイト履歴データベース１５２に追加する。
ラベル一覧表示欄１２４３には、このサイト履歴に付けられているラベルが一覧表示されている。ラベル一覧表示欄１２４３の各ラベルの左側の「×」ボタンをクリックすると、サイト履歴からそのラベルを外す（サイト履歴データベース１５２のラベルＩＤを削除する）。
【００５５】
また、ラベルの新規追加および編集は、図１３のラベル一覧ページおよび図１４のラベル編集ページで行なう。追加・編集されたラベルは、ラベル登録・更新処理１６５によって、ラベル・データベース１５４に登録・更新される。
図４において、「もっと見る」４６２をクリックすると、図１３のラベル一覧ページに遷移する。ここで、新規のラベルを作成したい場合は、新規ラベル登録エリア１３１０において、新規ラベル入力テキストボックス１３１１にラベル名称を入力し、「追加」ボタン１３１２をクリックする。
また、ラベル一覧エリア１３３０には、ラベル・データベース１５４に登録されているラベルを一覧表示している。ラベル名称表示欄１３３１には、ラベル・データベース１５４のラベル名称を表示する。ラベル名称をクリックすると、そのラベルを付けているサイト履歴（そのラベルのラベルＩＤを持つサイト履歴）を一覧表示したサイト履歴一覧ページに遷移する。サイト履歴件数表示欄１３３２には、そのラベルを付けているサイト履歴の件数を表示する。表示順選択リンク１３２３は、ラベル一覧１３３０の表示をサイト履歴件数順にするかラベル名称順にするかを指定するリンクである。
【００５６】
ラベルの削除は、ラベル一覧の各ラベル名称の左側のチェックボックスをチェックして、「削除」ボタン１３２２をクリックする。また、「すべてをチェック」１３２１をクリックすると、ラベル一覧の全てのラベルを選択する。
ラベルの編集は、ラベル一覧の各ラベル名称の右側の「編集」リンク１３３３をクリックすると遷移する図１４のラベル編集ページで行なう。ラベル編集ページ１４００において、変更前ラベル表示欄１４１０には現在のラベル名称が表示されている。ラベル名称を変更したい場合には、変更後ラベル入力欄１４２０に変更後のラベル名称を入力して、「保存」ボタン１４３０をクリックする。「削除」ボタン１４４０をクリックすると、そのラベルをラベル・データベース１５４から削除する。
【００５７】
図１２のサイト履歴編集ページ１２００に戻り、評価項目の設定は、評価編集入力エリア１２５０で行なう。評価入力欄１２５１には、評価項目データベース１５５に登録されている評価項目がリストボックスに表示されるので、付けたい評価項目を選択し、評価選択のリストボックスから評価（例えば１〜５の５段階）を選択する。そうすると、サイト履歴データベース１５２に評価項目ＩＤと評価を追加する。
また、新しい（まだ評価項目データベース１５５に登録していない）評価項目で評価を付けたいときは、新規評価項目登録欄１２５２のテキストボックスに新しい評価項目名称を入力して、「追加」ボタンをクリックすると、評価項目データベース１５５に評価項目を登録して、その評価項目の評価項目ＩＤと評価をサイト履歴データベース１５２に追加する。
評価一覧表示欄１２５３には、このサイト履歴に付けられている評価の評価項目が一覧表示されている。評価一覧表示欄１２５３の各評価項目の左側の「×」ボタンをクリックすると、サイト履歴からその評価を外す（サイト履歴データベース１５２の評価項目ＩＤと評価を削除する）。
【００５８】
また、評価項目の新規追加および編集は、図１５の評価項目一覧ページおよび図１６の評価項目編集ページで行なう。追加・編集された評価項目は、評価項目登録・更新処理１６６によって、評価項目データベース１５５に登録・更新される。
図４において、「もっと見る」４６４をクリックすると、図１５の評価項目一覧ページに遷移する。ここで、新規の評価項目を作成したい場合は、新規評価項目登録エリア１５１０において、新規評価項目入力テキストボックス１５１１に評価項目名称を入力し、「追加」ボタン１５１２をクリックする。
また、評価項目一覧エリア１５３０には、評価項目データベース１５５に登録されている評価項目を一覧表示している。評価項目名称表示欄１５３１には、評価項目データベース１５５の評価項目名称を表示する。評価項目名をクリックすると、その評価項目を付けているサイト履歴（その評価項目の評価項目ＩＤを持つサイト履歴）を一覧表示したサイト履歴一覧ページに遷移する。サイト履歴件数表示欄１５３２には、その評価項目を付けているサイト履歴の件数を表示する。表示順選択リンク１５２３は、評価項目一覧１５３０の表示をサイト履歴件数順にするか評価項目名称順にするかを指定するリンクである。
【００５９】
評価項目の削除は、評価項目一覧の各評価項目名称の左側のチェックボックスをチェックして、「削除」ボタン１５２２をクリックする。また、「すべてをチェック」１５２１をクリックすると、評価項目一覧の全ての評価項目を選択することができる。
評価項目の編集は、評価項目一覧の各評価項目名称の右側の「編集」リンク１５３３をクリックすると遷移する図１６の評価項目編集ページで行なう。評価項目編集ページ１６００において、変更前評価項目表示欄１６１０には現在の評価項目名称が表示されている。評価項目名称を変更したい場合には、変更後評価項目表示欄１６２０に変更後の評価項目名称を入力して、「保存」ボタン１６３０をクリックする。「削除」ボタン１６４０をクリックすると、その評価項目を評価項目データベース１５５から削除する。
【００６０】
図１２のサイト履歴編集ページ１２００に戻り、コメント編集入力欄１２６０は、コメントを入力・編集するためのテキストボックスである。
これらの任意情報を入力して「保存」ボタン１２７０をクリックすると、入力された内容でサイト履歴データベース１５２を更新する。
上述のサイト履歴の任意情報は本実施形態に必須ではないが、コメントおよび評価は、検索履歴を他のユーザに公開する（他のユーザにも閲覧させる）場合に特に有用である。また、ラベルは多数の検索履歴を見やすく整理するのに有用である。
【００６１】
なお、上述では、検索履歴をそのユーザ（ユーザ端末）本人のみに送信して閲覧・編集させる場合を例として説明したが、他のユーザの検索履歴も閲覧できるようにしてもよい。これにより、ユーザが検索履歴を共有することができる。
この場合、ユーザは、あらかじめサーバ１３０にユーザ登録を行ない、ユーザＩＤとパスワード等でログインして、本実施形態の検索システム１４０および検索履歴保存システム１５０を利用する。検索履歴は、ユーザＩＤに対応して保存される。
これにより、他のユーザの検索履歴を、例えばユーザからの要求に応じて送信したり、システムで自動的に判断して送信したり（例えば、同じ検索履歴に対する他のユーザの評価・コメントを送信する、年代や登録したプロフィール等に共通点があるユーザの検索履歴を送信する等）することができる。
【００６２】
上述では、ユーザが自分の検索履歴についてのみ保存設定を行なう場合について説明したが、例えば、親が子供の検索について保存制限をしたい場合や、上司が部下の検索について保存制限をしたい場合等が考えられる。
以降、本発明の検索履歴保存システムの第２の実施形態として、あるユーザと他のユーザとが、特定の関係（親子や、上司・部下の関係等）である場合に、そのユーザ（親や上司）からの申請により、該他のユーザ（子供や部下）の保存設定を行なうことができる検索履歴保存システムについて説明する。
この第２の実施形態では、上述の検索履歴の共有の場合と同様、ユーザはサーバ１３０に登録されている必要がある。従って、図１のシステム構成図のサーバ１３０に、さらに、ユーザを登録しているユーザ・データベースを用意する。また、ここでは、第２の実施形態の各処理は上述の保存設定処理１６４に実装するものとして説明する。
【００６３】
図２０は、ユーザ・データベースの主要な項目を示した図である。「ユーザＩＤ」は、ユーザに一意のＩＤであり、ユーザ登録時に与えられる。「パスワード」は、ユーザが本実施形態のシステムを利用するためのパスワードである。ユーザは、これらのユーザＩＤとパスワードを入力してサーバ１３０にログインして、本実施形態の検索システム１４０および検索履歴保存システム１５０を利用する。
「氏名」「生年月日」「住所」「電話番号」は、それぞれ、ユーザの氏名、生年月日、住所、電話番号である。さらに、趣味や嗜好などのプロフィールをユーザ・データベースに登録してもよい。「メールアドレス」は、ユーザの電子メール・アドレスである。
「設定可能ユーザＩＤ」は、そのユーザ（例えば、親や上司）が保存設定を行なうことができる他のユーザ（例えば、子供や部下）のユーザＩＤである。なお、親や上司のユーザＩＤと、子供や部下のユーザＩＤとの紐付けは、ユーザ・データベースとは別のデータベースを用意して記憶してもよい。
【００６４】
以降、本発明の検索履歴保存システムの第２の実施形態の具体例として、（方法１）と（方法２）の２つの仕組みを説明する。これらの仕組みは、上述の保存設定処理１６４に実装するが、システムの必要に応じて、いずれかの仕組みを実装しても、両方を実装してもよい。
【００６５】
（方法１）
１つ目の方法は、システムであらかじめ定めた条件により、ユーザと他のユーザとの関係（親子関係や、上司・部下の関係）を判断して、関係が認められる場合に、該ユーザ（親や上司）に他のユーザ（子供や部下）の保存設定を許可する方法である。
この方法では、ユーザ（親や上司）から、他のユーザ（子供や部下）の保存設定を行ないたい旨の要求があると、該他のユーザにその旨を通知することなく（該他のユーザの意思を聞かずに）、保存設定の許可を与える。このため、ユーザ間の関係が親子である場合、特に、子供が一定年齢以下（例えば１３歳以下など、親にとって、成人向け情報の履歴保存をさせたくない年齢層）である場合に、特に有効である。
したがって、ここでは、ユーザ間の関係が親子であって、子供が１３歳以下である場合を例に説明する。
【００６６】
まず、親であるユーザは、ユーザ端末１１０から自分のユーザＩＤとパスワードでログインして、あらかじめ用意されている保存設定申請用のページにアクセスする。保存設定申請用のページに保存設定したいユーザ（子供）を指定（子供のユーザＩＤ等を入力）して、サーバ１３０に送信する。
保存設定申請を受信すると、保存設定処理１６４は、保存設定申請を行なったユーザと指定されたユーザとの関係をチェックする。具体的には、例えば、上述の図２０のユーザ・データベースを参照して、両ユーザの住所が同じであり、かつ、該ユーザ（親）の年齢（生年月日から判断）が一定以上（例えば２０歳以上）であって、該他のユーザ（子供）が１３歳以下（生年月日から判断）であるかを判断する。
条件に合致する（ユーザ間の関係が親子であって、子供が１３歳以下である）場合には、ユーザ・データベースの該ユーザ（親）の保存設定可能ユーザＩＤに、子供のユーザＩＤを登録する。
以降、該ユーザ（親）は、自分のユーザＩＤとパスワードでサーバ１３０にログインすると、該他のユーザ（子供）の保存設定ページにアクセスして、子供の検索履歴の保存設定を行なうことができる。
【００６７】
なお、上記の条件は一例であり、住所に加えて、または住所に代えて、電話番号や姓、ＩＰアドレスの一致等により親子であることを判断してもよい。
また、親であることは、子供との年齢差により判断してもよい。ここで例示した条件で判断した場合、条件に合致するのは実際には必ずしも親子ではなく、例えば、祖父母と孫や、同居の親族、歳の離れた兄弟等の可能性もある。すなわち、厳密には、該ユーザが、該他のユーザ（１３歳未満の子供）の保存制限を自由に行なってよい立場にある者かを判断していることになる。
【００６８】
また、サーバ１３０（ここでは、ユーザ・データベースの保存設定可能ユーザＩＤ）に、あらかじめ親子であることを記憶しておき、上述の保存設定申請をしなくても、親が子供の保存設定ページにアクセスできるようにしてもよい。
また、親子関係をデータベース等に登録しないで、親が子供の検索履歴の保存設定を所望するたびに、上述の保存設定申請と親子関係の判断を行なうようにしてもよい。
【００６９】
（方法２）
２つ目の方法は、ユーザ（親や上司）から他のユーザ（子供や部下）を指定した保存設定申請要請があると、該他のユーザ（子供や部下）にその旨を通知して、該ユーザ（親や上司）による保存設定に同意を求める。同意があれば、以降、保存設定を行なうことができる。
この方法では、他のユーザ（子供や部下）からの同意を条件として、該ユーザ（親や上司）に保存設定の許可を与える。このため、ユーザ間の関係が上司・部下の関係等である場合や、子供が一定年齢以上（例えば１４歳以上）である親子間の場合に、有効である。
【００７０】
まず、上述の方法１と同様に、ユーザ（親や上司）は、保存設定申請ページにて他のユーザ（子供や部下）のユーザＩＤを入力し、サーバ１３０に送信する。
保存設定申請を受信すると、保存設定処理１６４は、指定されたユーザ（子供や部下）に、該ユーザ（親や上司）が制限を希望している旨を通知する。具体的には、例えば、該通知の文章とともに、同意するためのページへのＵＲＬを記載した電子メールを該他のユーザ（子供や部下）のメールアドレス宛てに送信することにより通知する。または、該他のユーザ（子供や部下）のユーザ専用ページ（上述の図４）に通知の文章と同意ページへのＵＲＬのリンクを表示してもよい。
【００７１】
該他のユーザ（子供や部下）が同意ページにアクセスして、同意を行なう（例えば、同意ページに表示された「同意する」ボタンをクリックする）と、ユーザ・データベースの該ユーザ（親や上司）の保存設定可能ユーザＩＤに、子供や部下のユーザＩＤを登録する。以降、上述の方法１と同様に、該ユーザ（親や上司）は、自分のユーザＩＤとパスワードでサーバ１３０にログインすると、該他のユーザ（子供や部下）の保存設定ページにアクセスして、子供や部下の保存設定を行なうことができる。
【００７２】
また、この２つめの方法は、子供が１３歳以下であった時に上述の方法１により親が該子供の保存設定を行なっていたが、後に子供が年齢制限の対象でなくなった（１４歳になった）場合にも用いることができる。この場合、例えば子供が１４歳になった日に、該子供に上述の同意ページの通知を行ない、子供が同意を行なうと、親が引き続き該子供の保存設定を行なうことができるようにする。
【図面の簡単な説明】
【００７３】
【図１】本実施形態の検索履歴保存システムを用いたシステム構成の一例を示した図である。
【図２】それぞれ、（ａ）検索ワード・データベース、（ｂ）サイト履歴データベース、（ｃ）保存設定データベースの主要な項目を示した図である。
【図３】それぞれ、（ａ）ラベル・データベース、（ｂ）評価項目データベースの主要な項目を示した図である。
【図４】本実施形態においてユーザ端末に送信されるユーザ専用ページの構成例である。
【図５】検索エンジンでの検索結果ページの例である。
【図６】検索ワード保存処理の流れの一例を示したフローチャートである。
【図７】サイト履歴保存処理の流れの一例を示したフローチャートである。
【図８】サイト履歴一覧ページの例である。
【図９】サイト履歴印刷用ページの例である。
【図１０】検索ワード一覧ページの例である。
【図１１】検索ワード印刷用ページの例である。
【図１２】サイト履歴編集ページの例である。
【図１３】ラベル一覧ページの例である。
【図１４】ラベル編集ページの例である。
【図１５】評価項目一覧ページの例である。
【図１６】評価項目編集ページの例である。
【図１７】検索履歴設定ページの例である。
【図１８】禁止ワード設定ページの例である。
【図１９】禁止ＵＲＬ設定ページの例である。
【図２０】ユーザ・データベースの主要な項目を示した図である。
【符号の説明】
【００７４】
１１０      ユーザ端末
１１２      ブラウザ
１１４      Ｃｏｏｋｉｅ
１２０      インターネット
１３０      サーバ
１４０      検索システム
１４２      検索用データベース
１４４      検索処理
１５０      検索履歴保存システム
１５１      検索ワード・データベース
１５２      サイト履歴データベース
１５３      保存設定データベース
１５４      ラベル・データベース
１５５      評価項目データベース
１６１      検索ワード保存処理
１６２      サイト履歴保存処理
１６３      検索履歴送信処理
１６４      保存設定処理
１６５      ラベル登録・更新処理
１６６      評価項目登録・更新処理
４００      ユーザ専用ページ
４１０      検索ボックス
４１１      検索用テキストボックス
４１２      「検索」ボタン
４１３      「検索履歴」タブ
４２０      検索履歴設定エリア
４２１      「自動保存の一時停止」リンク
４２２      「検索履歴の設定」リンク
４３０      左ナビゲーション
４４０      カレンダー表示エリア
４５０      最近検索ワード表示エリア
４５１      「もっと見る」リンク
４６０      サイト一覧表示エリア
４６１      ラベル順一覧
４６２      「もっと見る」リンク
４６３      評価項目順一覧
４６４      「もっと見る」リンク
４７０      ブックマーク登録ボックス
４７１      ＵＲＬ入力用テキストボックス
４７２      「登録」ボタン
４８０      メイン表示エリア
５００      検索結果一覧ページ
５１０      検索結果
５１１      サイト名称
５１２      サイト概要
５１３      サイトＵＲＬ
５２０      関連カテゴリ表示エリア
５３０      ページ移動用リンク
８００      サイト一覧
８１０      ナビゲーションバー
８１１      「すべてをチェック」チェックボックス
８１２      「削除」ボタン
８１３      「一覧を印刷用に表示」ボタン
８１４      「次の１０件」リンク
８１５      表示対象選択リンク
８１６      表示件数選択リンク
８２０      サイト一覧表示エリア
８２１      日付表示欄
８２２      検索ワード表示欄
８２３      検索種別表示欄
８２４      検索回数表示欄
８２５      「再検索」リンク
８３０      サイト履歴表示欄
８３１      サイト名称表示欄
８３２      サイト概要表示欄
８３３      サイトＵＲＬ表示欄
８３４      最終訪問日等表示欄
８３５      ラベル表示欄
８３６      評価表示欄
８３７      コメント表示欄
８３８      「もっと見る」リンク
９００      サイト履歴印刷用ページ
９０１      ページタイトル表示欄
９０２      日付表示欄
９０３      検索ワード等表示欄
９１０      サイト履歴表示欄
９１１      サイト名称表示欄
９１２      サイトＵＲＬ表示欄
９１３      サイト概要表示欄
９１４      最終訪問日等表示欄
９１５      ラベル表示欄
９１６      評価表示欄
９１７      コメント表示欄
１０００    検索ワード一覧ページ
１０１０    ナビゲーションバー
１０２０    検索条件一覧エリア
１０３０    検索条件表示欄
１０３１    日付表示欄
１０３２    検索ワード表示欄
１０３３    検索回数表示欄
１０３４    サイト履歴件数表示欄
１０３５    検索種別表示欄
１０３６    検索日付表示欄
１１００    検索ワード一覧印刷用ページ
１１０１    ページタイトル表示欄
１１１０    検索ワード一覧表示欄
１１１１    検索ワード表示欄
１１１２    サイト履歴件数表示欄
１１１３    検索種別表示欄
１１１４    検索日時表示欄
１２００    サイト履歴編集ページ
１２１０    「この履歴を削除」ボタン
１２２０    基本情報編集入力エリア
１２２１    サイト名称編集入力欄
１２２２    サイトＵＲＬ編集入力欄
１２２３    サイト概要編集入力欄
１２３０    任意情報編集入力エリア
１２４０    ラベル編集入力エリア
１２４１    ラベル入力欄
１２４２    新規ラベル登録欄
１２４３    ラベル一覧表示欄
１２５０    評価編集入力エリア
１２５１    評価入力欄
１２５２    新規評価項目登録欄
１２５３    評価一覧表示欄
１２６０    コメント編集入力欄
１２７０    「保存」ボタン
１３００    ラベル一覧ページ
１３１０    新規ラベル登録エリア
１３１１    新規ラベル入力テキストボックス
１３１２    「追加」ボタン
１３２０    ナビゲーションバー
１３２１    「全てをチェック」チェックボックス
１３２２    「削除」ボタン
１３２３    表示順選択リンク
１３３０    ラベル一覧エリア
１３３１    ラベル名称表示欄
１３３２    サイト履歴件数表示欄
１３３３    「編集」リンク
１４００    ラベル編集ページ
１４１０    変更前ラベル表示欄
１４２０    変更後ラベル入力欄
１４３０    「保存」ボタン
１４４０    「削除」ボタン
１５００    評価項目一覧ページ
１５１０    新規評価項目登録エリア
１５１１    新規評価項目入力テキストボックス
１５１２    「追加」ボタン
１５２０    ナビゲーションバー
１５２１    「全てをチェック」チェックボックス
１５２２    「削除」ボタン
１５２３    表示順選択リンク
１５３０    評価項目一覧エリア
１５３１    評価項目名称表示欄
１５３２    サイト履歴件数表示欄
１５３３    「編集」リンク
１６００    評価項目編集ページ
１６１０    変更前評価項目表示欄
１６２０    変更後評価項目入力欄
１６３０    「保存」ボタン
１６４０    「削除」ボタン
１７００    検索履歴設定ページ
１７１０    保存制限設定エリア
１７１１    詳細設定欄
１７１２    １ページあたり表示件数設定欄
１７１３    フィルタリング設定欄
１７１４    「設定を保存」ボタン
１７２０    ブックマーク取込エリア
１７２１    パス入力欄
１７２２    「参照」ボタン
１７２３    「取り込み」ボタン
１８００    禁止ワード設定ページ
１８１０    禁止ワード入力欄
１８２０    禁止ワード削除欄
１８３０    禁止ワード一覧
１９００    禁止ＵＲＬ設定ページ
１９１０    禁止ＵＲＬ入力欄
１９２０    禁止ＵＲＬ削除欄
１９３０    禁止ＵＲＬ一覧
【図１】
2007286951.tif 000003
【図２】
2007286951.tif 000004
【図３】
2007286951.tif 000005
【図６】
2007286951.tif 000006
【図７】
2007286951.tif 000007
【図８】
2007286951.tif 000008
【図９】
2007286951.tif 000009
【図１０】
2007286951.tif 000010
【図１１】
2007286951.tif 000011
【図１２】
2007286951.tif 000012
【図１３】
2007286951.tif 000013
【図１４】
2007286951.tif 000014
【図１５】
2007286951.tif 000015
【図１６】
2007286951.tif 000016
【図１７】
2007286951.tif 000017
【図１８】
2007286951.tif 000018
【図１９】
2007286951.tif 000019
【図２０】
2007286951.tif 000020
【図４】
2007286951.tif 000021
【図５】
2007286951.tif 000022